(57)【要約】【課題】撮像部の画像を表示デバイスで確認しなくても、検知範囲を設定するための検知範囲情報を容易に設定できる動体検知装置を提供する。【解決手段】メモリ１３には、イメージセンサ１１の撮像範囲のうち、動きのある物体の存否を検知する検知範囲をどの範囲とするかを設定するための検知範囲情報が記憶されている。画像処理回路１２は、検知範囲情報で設定される検知範囲において、イメージセンサ１１が異なる時刻に撮像した複数の画像を解析することによって検知範囲に動きのある物体が存在するか否かを判定する。また画像処理回路１２は、検知範囲情報を設定する指示が外部から入力されると、イメージセンサ１１の画像から特定の時間的変化を検出し、特定の時間的変化が検出された位置をもとに検知範囲情報を決定してメモリ１３に記憶させる。【選択図】図１
2014154068.tif 000002
【特許請求の範囲】
【請求項１】
検出対象の空間を撮像するカメラと、
前記カメラの撮像範囲のうち、動きのある物体の存否を検知する検知範囲をどの範囲とするかを設定するための検知範囲情報を記憶するメモリと、
前記検知範囲情報で設定される検知範囲において、前記カメラが異なる時刻に撮像した複数の画像を解析することによって前記検知範囲に動きのある物体が存在するか否かを判定する判定部と、
前記判定部の判定結果及び前記判定結果から導出した外部機器の制御情報のうち少なくとも何れか一方を外部に出力する出力部と、
前記検知範囲情報を設定する指示が外部から入力されると、前記カメラの画像から特定の時間的変化を検出し、前記特定の時間的変化が検出された位置をもとに前記検知範囲情報を決定して前記メモリに記憶させる設定部とを備えることを特徴とする動体検知装置。
【請求項２】
前記特定の時間的変化とは、周期的な明暗変化によって発生する画像の変化であることを特徴とする請求項１記載の動体検知装置。
【請求項３】
前記特定の時間的変化とは、物体が行う所定の動作によって発生する画像の変化であることを特徴とする請求項１記載の動体検知装置。
【請求項４】
前記設定部は、前記特定の時間的変化が検出された位置を前記検知範囲の中心に一致させるように前記検知範囲の位置を補正し、補正後の前記検知範囲を設定する検知範囲情報を前記メモリに記憶させることを特徴とする請求項１乃至３の何れか１項に記載の動体検知装置。
【請求項５】
前記設定部は、前記特定の時間的変化を一度検出して前記検知範囲情報を設定すると、その後は前記特定の時間的変化を検出する動作を停止することを特徴とする請求項４記載の動体検知装置。
【請求項６】
前記カメラの撮像範囲は格子状の境界線によって複数の小領域に分割され、前記検知範囲情報によって、複数の前記小領域の各々が前記検知範囲に含まれるか否かが設定されており、
前記設定部は、前記特定の時間的変化が検出された位置に中心が最も近い前記小領域に対して、前記小領域を前記検知範囲に含めるか否かを示す前記検知範囲情報を決定し、前記メモリに記憶させることを特徴とする請求項１乃至３の何れか１項に記載の動体検知装置。
【請求項７】
前記設定部が、前記小領域を前記検知範囲に含めるか否かを示す前記検知範囲情報を変更した場合、前記検知範囲情報によって設定される前記検知範囲の設定状況を外部に出力することを特徴とする請求項６記載の動体検知装置。
【請求項８】
前記特定の時間的変化とは、物体が移動することによって発生する画像の変化であり、
前記設定部は、前記検知範囲情報を設定する指示が入力されてから設定終了の指示を受けるまでに検出された物体の移動軌跡の内側を前記検知範囲とすることを特徴とする請求項１記載の動体検知装置。
【発明の詳細な説明】
【技術分野】
【０００１】
本発明は、動体検知装置に関するものである。
【背景技術】
【０００２】
従来、ＣＣＤイメージセンサやＣＭＯＳイメージセンサなどの画像センサを用い、画像センサの視野内に人が進入したことを検知すると、照明器具を自動点灯させる照明制御システムが提案されている（例えば特許文献１参照）。
【先行技術文献】
【特許文献】
【０００３】
【特許文献１】特開２０１１−１０８４１７号公報
【発明の概要】
【発明が解決しようとする課題】
【０００４】
上述の照明制御システムにおいて、製造時や設置時の誤差によって画像センサの撮像範囲が設計段階で想定した範囲からずれると、画像センサの画像内に設定される検知範囲が、実空間において人の存否を検知させたい検知範囲からずれる可能性があった。検知範囲が所望の範囲からずれると、所望の検知範囲の外側ではあるが画像センサの撮像範囲に入っているために人体が検知されたり、所望の検知範囲に人体が存在するにも拘わらず、撮像範囲の外側に出ているために、人体が検出されない場合がある。
【０００５】
画像センサの撮像範囲を調整するためには、画像センサによって撮像される画像を外部に設けられたモニタで確認しながら、画像センサの取付位置や角度を調整すればよい。しかしながら、画像センサの画像を外部のモニタで確認するためには、画像センサから外部に画像データを出力する機能や、出力された画像データを外部のモニタに伝送する機能が必要になり、コストアップになるという問題があった。
【０００６】
本発明は上記課題に鑑みて為されたものであり、その目的とするところは、撮像部の画像を表示デバイスで確認しなくても、検知範囲を設定するための検知範囲情報を容易に設定できる動体検知装置を提供することにある。
【課題を解決するための手段】
【０００７】
本発明の動体検知装置は、カメラと、メモリと、判定部と、出力部と、設定部とを備える。カメラは検出対象の空間を撮像する。メモリは、カメラの撮像範囲のうち、動きのある物体の存否を検知する検知範囲をどの範囲とするかを設定するための検知範囲情報を記憶する。判定部は、検知範囲情報で設定される検知範囲において、カメラが異なる時刻に撮像した複数の画像を解析することによって検知範囲に動きのある物体が存在するか否かを判定する。出力部は、判定部の判定結果及び判定結果から導出した外部機器の制御情報のうち少なくとも何れか一方を外部に出力する。設定部は、検知範囲情報を設定する指示が外部から入力されると、カメラの画像から特定の時間的変化を検出し、特定の時間的変化が検出された位置をもとに検知範囲情報を決定してメモリに記憶させる。
【０００８】
この動体検知装置において、特定の時間的変化とは周期的な明暗変化によって発生する画像の変化であることも好ましい。
【０００９】
この動体検知装置において、特定の時間的変化とは物体が行う所定の動作によって発生する画像の変化であることも好ましい。
【００１０】
この動体検知装置において、設定部は、特定の時間的変化が検出された位置を検知範囲の中心に一致させるように検知範囲の位置を補正し、補正後の検知範囲を設定する検知範囲情報をメモリに記憶させることも好ましい。
【００１１】
この動体検知装置において、設定部は、特定の時間的変化を一度検出して検知範囲情報を設定すると、その後は特定の時間的変化を検出する動作を停止することも好ましい。
【００１２】
この動体検知装置において、カメラの撮像範囲は格子状の境界線によって複数の小領域に分割され、検知範囲情報によって、複数の小領域の各々が検知範囲に含まれるか否かが設定されている。そして、設定部が、特定の時間的変化が検出された位置に中心が最も近い小領域に対して、小領域を検知範囲に含めるか否かを示す検知範囲情報を決定し、メモリに記憶させることも好ましい。
【００１３】
この動体検知装置において、設定部が、小領域を検知範囲に含めるか否かを示す検知範囲情報を変更した場合、検知範囲情報によって設定される検知範囲の設定状況を外部に出力することも好ましい。
【００１４】
この動体検知装置において、特定の時間的変化とは物体が移動することによって発生する画像の変化であり、設定部は、検知範囲情報を設定する指示が入力されてから設定終了の指示を受けるまでに検出された物体の移動軌跡の内側を検知範囲とすることも好ましい。
【発明の効果】
【００１５】
本発明によれば、検知範囲情報を設定する際に、設定作業を行う人物が実空間において検知範囲の基準となる位置で特定の時間的変化を起こせば、設定部は、カメラの画像から特定の時間的変化を検出し、その位置をもとに検知範囲情報を設定する。したがって、カメラの画像を外部のモニタで確認しなくても検知範囲の位置を調整でき、カメラの画像を外部に出力する機能や、出力された画像データをモニタに送信する機能が不要になり、低コストの動体検知装置を実現することができる。
【図面の簡単な説明】
【００１６】
【図１】本実施形態の動体検知装置を用いた照明制御システムのシステム構成図である。
【図２】同上のイメージセンサで撮像される画像を模式的に示した図である。
【図３】同上の動体検知装置による検知範囲を示し、（ａ）は横方向から見た図、（ｂ）は上側から見た図である。
【図４】（ａ）（ｂ）は同上の動体検知装置において検知範囲情報の設定時に検出される特定の時間的変化を説明する図である。
【図５】同上の動体検知装置を用いた別の照明制御システムのシステム構成図である。
【図６】（ａ）（ｂ）は検知範囲の設定方法を説明する説明図である。
【図７】リモコン端末の表示部に表示される表示例の説明図である。
【図８】（ａ）（ｂ）は検知範囲の設定方法を説明する説明図である。
【図９】（ａ）〜（ｃ）は検知範囲の別の設定方法を説明する説明図である。
【図１０】（ａ）（ｂ）は同上の動体検知装置を利用した他のシステムのシステム構成図である。
【発明を実施するための形態】
【００１７】
以下では、本発明に係る動体検知装置を、照明器具の点灯／消灯を制御する照明制御システムに適用した実施形態について図１〜図９を参照して説明する。本実施形態の照明制御システムは、例えば事業所において事務所エリアの天井に設置された複数台の照明器具の点灯／消灯を制御するために用いられる。
【００１８】
図１は照明制御システムの全体構成を示すブロック図であり、照明制御システムは、動体検知装置１と、照明制御装置２と、複数台の照明器具３とを備える。尚、照明器具３の台数及び配置は、照明対象の領域によって異なるので、適宜変更が可能である。
【００１９】
複数台の照明器具３の各々は、光源として例えば蛍光灯やＬＥＤを備えている。複数台の照明器具３は、事務所内の同じ作業領域を照明できるように、作業領域の上方の天井に設置されている。各照明器具３の点灯／消灯は照明制御装置２によって制御される。
【００２０】
照明制御装置２は、動体検知装置１の判定結果に応じて、同じ作業領域を照明する複数台の照明器具の点灯／消灯を制御する。すなわち、動体検知装置１が動きのある物体（人体）を検知すると、照明制御装置２は、同じ作業領域を照明する複数台の照明器具３を全て点灯させる。一方、動体検知装置１が動きのある物体（人体など）を検知していなければ、照明制御装置２は、同じ作業領域を照明する複数台の照明器具３を全て消灯させる。
【００２１】
次に動体検知装置１について説明する。動体検知装置１は、イメージセンサ１１と、画像処理回路１２と、メモリ１３と、通信回路１４とを備える。
【００２２】
イメージセンサ１１は、例えばＣＣＤイメージセンサからなり、複数台の照明器具３による照明範囲を含む撮像領域を定期的に撮像して、画像データを画像処理回路１２に出力する。複数台の照明器具３による照明範囲がイメージセンサ１１の撮像範囲に含まれるような位置に、動体検知装置１のイメージセンサ１１は設置されている。尚、本実施形態ではカメラがＣＣＤイメージセンサで構成されているが、カメラはＣＣＤイメージセンサに限定されず、ＣＭＯＳイメージセンサのような画像センサでもよい。
【００２３】
画像処理回路１２は、例えば画像処理用のプロセッサを用いて構成され、イメージセンサ１１が異なる時刻に撮像した複数の画像を解析することによって、所定の検知範囲に動きのある物体（人体など）が存在するか否かを判定する。尚、画像処理回路１２は、背景差分法やフレーム間差分法などの従来周知の画像処理方法を用いて、動きのある物体を検出しており、その検出方法については説明を省略する。
【００２４】
メモリ１３は、例えばＥＥＰＲＯＭやフラッシュメモリなどの不揮発性メモリからなり、イメージセンサ１１の撮像範囲のうち、動きのある物体の存否を検知する検知範囲をどの範囲とするかを設定するための検知範囲情報を記憶する。
【００２５】
通信回路１４は照明制御装置２との間で通信線を介してデータ通信を行う。尚、通信回路１４と照明制御装置２の間の通信は有線通信に限定されるものではなく、無線通信でもよい。
【００２６】
次に本システムの動作について説明する。
【００２７】
画像処理回路１２及び照明制御装置２が動作を開始すると、先ず画像処理回路１２が、メモリ１３から読み込んだ検知範囲情報に基づいて、イメージセンサ１１による撮像範囲のうち、動きのある物体の存否を検知する検知範囲をどの範囲とするかを設定する。
【００２８】
動体検知装置１のイメージセンサ１１は撮像範囲を定期的に撮像し、画像データを画像処理回路１２に出力する。
【００２９】
イメージセンサ１１が撮像領域を定期的に撮像して、画像データを画像処理回路１２に出力すると、画像処理回路１２は、異なる時刻に撮像された画像データを解析することで、上記の検知範囲において動きのある物体が存在するか否かを判定し、あらかじめ設定された大きさや速度の条件から検知すべき対象として適さないものを排除する。室内の照明制御では検知すべき対象は人物であり、着席などにより動きが停止しても、停止前との画像の相関を解析して、その人物が存在していると判定される。
【００３０】
画像処理回路１２は、人物が存在すると判定した場合、照明器具３を点灯させる点灯制御信号を通信回路１４から照明制御装置２へ送信させる。照明制御装置２は、動体検知装置１から送信された点灯制御信号を受信すると、複数台の照明器具３を全て点灯させる。
【００３１】
一方、画像処理回路１２は、人物が存在しないと判定した場合、照明器具３を消灯させる消灯制御信号を通信回路１４から照明制御装置２へ送信させる。照明制御装置２は、動体検知装置１から送信された点灯制御信号を受信すると、複数台の照明器具３を全て消灯させる。
【００３２】
これにより、検知範囲において人物が検知されると、照明器具３が全て点灯し、検知範囲において人物が検知されなくなると、照明器具３が全て消灯する。尚、本実施形態では画像処理回路１２と通信回路１４とで出力部が構成される。画像処理回路１２は、動きのある物体の存否を判定した結果から、外部機器である照明器具３の制御情報（点灯制御信号又は消灯制御信号）を作成して、この制御情報を通信回路１４から出力させているが、物体の存否を判定した結果を出力してもよい。
【００３３】
次に、設定部たる画像処理回路１２が、イメージセンサ１１によって撮像された画像から特定の時間的変化を検出し、検出された特定の時間的変化をもとに、検知範囲情報を決定してメモリ１３に記憶させる動作について説明する。
【００３４】
図２は、動体検知装置１のイメージセンサ１１によって撮像された画像Ｐ１を示している。イメージセンサ１１による撮像範囲Ｐ１は光学系によって決まり、動きのある物体の存否を判定させたい検知範囲Ａ３（図２において点線で囲まれた範囲）よりも広い範囲を撮像している。メモリ１３には、イメージセンサ１１の撮像範囲において検知範囲をどの範囲とするかを設定する検知範囲情報が記憶されており、撮像範囲の中心位置と検知範囲の中心位置とを一致させるような検知範囲情報が初期値として登録されている。
【００３５】
ところで、動体検知装置１のケースにイメージセンサ１１が組み込まれる際の誤差や、動体検知装置１が天井に設置される際の誤差によって、イメージセンサの光軸がずれると、イメージセンサ１１の撮像範囲が設計時に予定していた範囲からずれる可能性がある。図３（ａ）はイメージセンサ１１の撮像範囲を示し、イメージセンサ１１の製作誤差や動体検知装置１の取付時の誤差によってイメージセンサ１１の光軸が図中の軸Ｌ１から軸Ｌ２にずれると、イメージセンサ１１の撮像範囲がずれ、それに応じて検知範囲もずれてしまう。図３（ｂ）はイメージセンサ１１の撮像範囲内に設定される検知範囲を示し、光軸が軸Ｌ１から軸Ｌ２にずれると、検知範囲の中心位置が点Ｃ１から点Ｃ２にずれ、検知範囲が点線で示す検知範囲Ａ１から、実線で示す検知範囲Ａ２にずれてしまう。
【００３６】
このように、動体検知装置１が設置された状態で検知範囲を補正しなければ、動きのある物体を検知する検知範囲が、所望の範囲からずれる可能性がある。本実施形態では施工時に動体検知装置１と照明制御装置２とが通信線を介して接続され、動体検知装置１及び照明制御装置２に電源が投入されると、検知範囲情報を設定する指示（設定指令）が外部機器である照明制御装置２から動体検知装置１に送信される。この設定指令が動体検知装置１の通信回路１４によって受信され、設定部たる画像処理回路１２に出力されると、画像処理回路１２は、メモリ１３から検知範囲情報を読み込み、この検知範囲情報を補正する動作を開始する。
【００３７】
画像処理回路１２は、イメージセンサ１１が定期的に撮像した画像データを順次取り込み、異なる時刻に撮像された複数の画像を解析することによって、周期的な明暗変化によって発生する画像の変化を「特定の時間的変化」として検出する。
【００３８】
図４（ａ）は設定作業の概要を示し、設定作業を行う人物Ｈ１は、検知範囲として設定させたい範囲の中心位置に立って、光源４（例えばノートパソコンの画面など）を所定の周期又はパターンで明滅させる。イメージセンサ１１が画像を取り込む周期は、人物Ｈ１が光源４を明滅させる周期（例えば０．５秒〜数秒程度）よりも短い周期に設定されている。したがって、画像処理回路１２は、光源４の点灯中の画像と、光源４の消灯中の画像を取得することができ、イメージセンサ１１で撮像された複数の画像を解析することにより、比較的短い周期（例えば数秒程度）で照度が変化する位置を検出することができる。
【００３９】
画像処理回路１２は、特定の時間的変化として周期的な明暗変化を検出すると、周期的な明暗変化が検出された位置が検知範囲の中心位置となるように検知範囲を補正し、補正後の検知範囲を示す検知範囲情報をメモリ１３に記憶させる。
【００４０】
その後、画像処理回路１２は、イメージセンサ１１から定期的に画像を取り込み、異なる時刻に撮像された複数の画像を解析することによって、検知範囲に動きのある物体が存在するか否かを逐次判定し、判定結果に応じて照明制御装置２に制御指示を出力する。動きのある物体が検知範囲に存在すると画像処理回路１２が判定した場合、画像処理回路１２は点灯制御信号を照明制御装置２に出力し、照明制御装置２は全ての照明器具３を一括して点灯させる。一方、動きのある物体が検知範囲に存在しないと画像処理回路１２が判定した場合、画像処理回路１２は消灯制御信号を照明制御装置２に出力し、照明制御装置２は全ての照明器具３を一括して消灯させる。これにより、動体検知装置１が検知範囲において動きのある物体の存否を検知した結果に応じて、照明器具３の点灯／消灯が制御される。
【００４１】
以上説明したように本実施形態の動体検知装置１は、カメラ（イメージセンサ１１）と、メモリ１３と、判定部と、出力部と、設定部とを備える。尚、本実施形態では画像処理回路１２によって判定部及び設定部が構成され、画像処理回路１２と通信回路１４とで出力部が構成される。
【００４２】
イメージセンサ１１は検出対象の空間を撮像する。メモリ１３は、イメージセンサ１１の撮像画像のうち、動きのある物体の存否を検知する検知範囲をどの範囲とするかを設定するための検知範囲情報を記憶する。判定部としての画像処理回路１２は、検知範囲情報で設定される検知範囲において、イメージセンサ１１が異なる時刻に撮像した複数の画像を解析することによって検知範囲に動きのある物体が存在するか否かを判定する。出力部としての画像処理回路１２は、動きのある物体が存在するか否かの判定結果、及び、この判定結果から導出した外部機器の制御情報のうち少なくとも何れか一方を、通信回路１４から外部へ出力させる。設定部としての画像処理回路１２は、検知範囲情報を設定する指示が外部から入力されると、イメージセンサ１１の画像から特定の時間的変化を検出し、特定の時間的変化が検出された位置をもとに検知範囲情報を決定してメモリ１３に記憶させる。
【００４３】
検知範囲情報の設定時に、設定作業を行う人物が、実空間において検知範囲の基準となる位置（例えば検知範囲の中心位置）で特定の時間的変化を起こせば、設定部たる画像処理回路１２は、イメージセンサ１１の画像から特定の時間的変化を検出し、その位置をもとに検知範囲情報を設定する。したがって、イメージセンサ１１の画像を外部のモニタで確認しなくても、検知範囲を設定するための検知範囲情報を容易に設定でき、所望の検知範囲の外側にいる人物（動きのある物体）の誤検出や、検知範囲内にいる人物の検知漏れを低減できる。また、イメージセンサ１１の画像データを外部に出力する機能や、出力された画像データを外部のモニタに送信する機能が不要であり、低コストでありながら、検知範囲情報の変更が容易な動体検知装置１を実現することができる。
【００４４】
また、設定部としての画像処理回路１２は、特定の時間的変化が検出された位置を検知範囲の中心に一致させるように検知範囲の位置を補正し、補正後の検知範囲を設定する検知範囲情報をメモリ１３に記憶させている。
【００４５】
これにより、実空間において検知範囲の中心となる位置で、特定の時間的変化を発生させれば、画像上で検知範囲の中心となる位置が、実空間において検知範囲の中心となる位置に一致するので、検知範囲の中心を設定する作業を容易に行うことができる。
【００４６】
また、設定部としての画像処理回路１２は、検知範囲情報の設定指令が外部から入力された後に、イメージセンサ１１の画像から特定の時間的変化を一度検出して、検知範囲情報の設定を行うと、その後は特定の時間的変化を検出する動作を停止する。これにより、検知範囲情報の設定時に、イメージセンサ１１の画像において特定の時間的変化が検出され、検知範囲情報が一旦設定された後は、イメージセンサ１１の画像に特定の時間的変化が再び現れたとしても、検知範囲情報が誤って変更されることはない。
【００４７】
尚、上述の実施形態では、図２に示す検知範囲Ａ３の全体で動きのある物体の存否を検出しているが、領域Ａ３が格子状の境界線Ｌ１０によって複数の小領域ＳＡ１に分割され、複数の小領域ＳＡ１の各々が検知範囲に含まれるか否かが予め設定されていてもよい。そして、このように設定された検知範囲の中心位置を特定の時間的変化が検出された位置に一致させるように、画像処理回路１２が検知範囲情報を設定し、この検知範囲情報をもとに検知範囲をセンタリングすればよい。
【００４８】
また、上記の実施形態では、設定部としての画像処理回路１２が、検知範囲情報を設定する際に特定の時間的変化として周期的な明暗変化によって発生する画像の変化を検出している。これにより、設定作業を行う人物は、検知範囲の中心となる位置に立ち、携帯端末（ノートパソコンやスマートホンやタブレット端末など）の画面を明滅させたり、携帯形の電灯を明滅させたりすることで、検知範囲の中心位置を容易に設定することができる。
【００４９】
尚、設定部としての画像処理回路１２が、検知範囲情報を設定する際に検出する特定の時間的変化とは周期的な明暗変化によって発生する画像の変化に限らず、物体（例えば人物）が行う所定の動作によって発生する画像の変化を検出してもよい。物体（すなわち設定作業を行う人物）が行う所定の動作としては、単純でありながら、他の動作と識別できるような動作であることが好ましく、例えば図４（ｂ）に示すように人物Ｈ１が円を描くように腕を回す動作を検出してもよい。この場合、外部機器から動体検知装置１に設定指令が与えられた後に、設定作業を行う人物Ｈ１が、実空間において検知範囲の中心となる位置で円を描くように腕を回す動作を行うと、この動作によってイメージセンサ１１の画像に時間的変化が発生する。画像処理回路１２は、イメージセンサ１１が異なる時刻に撮影した複数の画像を解析することで、人物Ｈ１が腕を回すことによって画像に現れた時間的変化を検出する。そして、画像処理回路１２は、イメージセンサ１１の画像において特定の時間的変化が検出された位置を、検知範囲の中心位置とするように検知範囲の設定（すなわち検知範囲情報）を変更する。而して、イメージセンサ１１の画像を表示モニタなどで確認しなくても、検知範囲を設定するための検知範囲情報を容易に設定できる。よって、所望の検知範囲の外側にいる人物（動きのある物体）の誤検出や、検知範囲内にいる人物の検知漏れを低減できる。また、イメージセンサ１１の画像データを外部に出力する機能や、出力された画像データを外部のモニタに送信する機能が不要であり、低コストでありながら、検知範囲情報の変更が容易な動体検知装置１を実現することができる。
【００５０】
尚、設定部たる画像処理回路１２が、特定の時間的変化として検出する動作は、円を描くように腕を回す動作に限定されるものではなく、例えば手などの体の一部を前後或いは左右に振る動作でもよい。
【００５１】
ところで、本実施形態では、照明制御装置２から動体検知装置１に検知範囲情報を設定する指示（設定指令）を与えているが、動体検知装置１との間でワイヤレス信号を送受信するリモコン端末が動体検知装置１に設定指令を与えるようにしてもよい。
【００５２】
図５はリモコン端末５を用いる場合のシステム構成図であり、動体検知装置１は、照明制御装置２との間で通信を行う第１通信回路１４に加えて、リモコン端末５との間でワイヤレス信号（例えば電波信号）を送受信する第２通信回路１５を備えている。第２通信回路１５は小電力無線の通信モジュールであり、電波を媒体として通信信号を送受信する。尚、第２通信回路１５が追加された点を除いては、図１で説明した動体検知装置１と同様であるので、共通する構成要素には同一の符号を付して、その説明は省略する。
【００５３】
リモコン端末５は、各種の操作を行うための複数の操作釦５１を備え、操作釦５１の操作に応じた信号をワイヤレス信号（例えば電波信号）で動体検知装置１に無線送信する。また、リモコン端末５は、例えば液晶ディスプレイからなる表示部５２を備えている。
【００５４】
尚、動体検知装置１とリモコン端末５との間では電波を媒体とするワイヤレス通信を行っているが、赤外線などの光や超音波を媒体として無線通信を行ってもよい。
【００５５】
ここで、設定作業を行う人物が、リモコン端末５を用いて、検知範囲情報の設定を開始させるための操作を行うと、検知範囲情報を設定する指示（設定指令）がリモコン端末５から動体検知装置１にワイヤレス信号で送信される。
【００５６】
この時、リモコン端末５から送信された設定指令は第２通信回路１５によって受信され、第２通信回路１５から画像処理回路１２に送られる。画像処理回路１２は、第２通信回路１５から設定指令が入力されると、検知範囲情報の設定を開始し、上述のようにイメージセンサ１１で撮像された画像から特定の時間的変化を検出し、特定の時間的変化が検出された位置をもとに検知範囲情報の設定を行う。
【００５７】
ここで、図６（ａ）に示すように、イメージセンサ１１の撮像範囲Ｐ１が格子状の境界線Ｌ２１によって複数の小領域ＳＡ１に分割され、複数ある小領域ＳＡ１の各々について検知範囲に含めるか否かを設定できる場合、以下のようにして検知範囲が設定される。
【００５８】
例えば、特定の時間的変化として明暗変化による画像の変化を検出する場合、設定作業を行う人物Ｈ１は、図６（ａ）に示すように検知範囲から外したい小領域ＳＡ１に移動し、その場所で光源４を明滅させる。画像処理回路１２は、イメージセンサ１１の画像から特定の時間的変化（明暗変化による画像の変化）を検出すると、特定の時間的変化が検出された位置に中心が最も近い小領域ＳＡ１を検知範囲に含めないように検知範囲情報を設定し、メモリ１３に検知範囲情報を記憶させる。図６の例では撮像範囲Ｐ１の左上隅に位置する小領域ＳＡ１で人物Ｈ１が光源４を明滅させると、図６（ｂ）に示すように明暗変化が検出された位置に中心が最も近い小領域ＳＡ１が検知範囲から外される。尚、図６（ｂ）において斜線が引かれた小領域ＳＡ１は検知範囲に含まれない小領域を示している。
【００５９】
そして、設定作業を行う人物が、検知範囲から外したい全ての小領域で光源を明滅させる動作を行った後、リモコン端末５を用いて、検知範囲情報の設定作業を終了させる操作を行うと、設定終了の指示がリモコン端末５から動体検知装置１へ送信される。リモコン端末５から送信された設定終了の指示は第２通信回路１５で受信され、第２通信回路１５から画像処理回路１２に送られる。画像処理回路１２は、設定終了の指示を受け取ると、検知範囲情報の設定作業を終了し、メモリ１３に登録された検知範囲情報によって設定される検知範囲の設定状況を第２通信回路１５からリモコン端末５へ送信する。リモコン端末５は、動体検知装置１から送信された検知範囲の設定状況を受信すると、図７に示すように検知範囲の設定状況を表示部５２に表示させており、検知範囲の設定状況を視覚的に確認することができる。尚、図７に表示された検知範囲は一例であり、図７において斜線が引かれた小領域ＳＡ１は検知範囲から除かれている。
【００６０】
ところで、画像処理回路１２は、特定の時間的変化として明暗変化による画像の変化を検出しているが、物体（例えば人物）が行う所定の動作によって発生する画像の変化を検出してもよい。物体（設定作業を行う人物）が行う所定の動作としては、単純でありながら、他の動作と識別できるような動作であることが好ましく、例えば図８（ａ）に示すように人物Ｈ１が円を描くように腕を回す動作を検出してもよい。
【００６１】
設定作業を行う人物Ｈ１は、図８（ａ）に示すように検知範囲から外したい小領域ＳＡ１に移動し、その場所で腕を回す動作を行う。画像処理回路１２は、イメージセンサ１１の画像から、所定の動作が行われることによって発生する画像の変化を検出すると、その位置に中心が最も近い小領域ＳＡ１を検知範囲に含めないように検知範囲情報を設定し、メモリ１３に検知範囲情報を記憶させる。図８（ａ）に示すように撮像範囲Ｐ１の左上隅に位置する小領域ＳＡ１で人物Ｈ１が腕を回す動作を行うと、図８（ｂ）に示すように明暗変化が検出された位置に中心が最も近い小領域ＳＡ１が検知範囲から外される。尚、図８（ｂ）において斜線が引かれた小領域ＳＡ１は検知範囲に含まれない小領域を示している。
【００６２】
そして、設定作業を行う人物が、検知範囲から外したい全ての小領域で腕を回す動作を行った後、リモコン端末５を用いて、検知範囲情報の設定作業を終了させる操作を行うと、設定終了の指示がリモコン端末５から動体検知装置１へ送信される。リモコン端末５から送信された設定終了の指示は第２通信回路１５で受信され、第２通信回路１５から画像処理回路１２に送られる。画像処理回路１２は、設定終了の指示を受け取ると、検知範囲情報の設定作業を終了し、メモリ１３に登録された検知範囲情報によって設定される検知範囲の設定状況を第２通信回路１５からリモコン端末５へ送信する。リモコン端末５は、動体検知装置１から送信された検知範囲の設定状況を受信すると、検知範囲の設定状況を表示部５２に表示させており、検知範囲の設定状況を視覚的に確認することができる（図７参照）。
【００６３】
尚、画像処理回路１２は、特定の時間的変化が検出された位置に中心が最も近い小領域ＳＡ１を検知範囲から外しているが、特定の時間的変化が検出された位置に中心が最も近い小領域ＳＡ１を検知範囲に含めるように検知範囲情報を設定してもよい。
【００６４】
また、画像処理回路１２が、特定の時間的変化として、物体が移動することによって発生する画像の変化を検出し、物体の移動軌跡の内側を検知範囲とするように検知範囲情報を設定してもよい。
【００６５】
設定作業を行う人物Ｈ１が、例えばリモコン端末５を用いて、検知範囲情報の設定を開始させるための操作を行うと、検知範囲情報を設定する指示（設定指令）がリモコン端末５から動体検知装置１にワイヤレス信号で送信される。
【００６６】
リモコン端末５から送信された設定指令が画像処理回路１２に入力されると、画像処理回路１２は、イメージセンサ１１の画像から、物体の移動に応じて発生する画像の変化を検出し、物体の移動軌跡を求める。
【００６７】
設定作業を行う人物Ｈ１が、図９（ａ）に示すように検知領域に含めたい小領域と、検知領域から外したい小領域との境界部分に沿って移動すると、画像処理回路１２は、イメージセンサ１１の画像をもとに、人物Ｈ１が移動する移動軌跡Ｒ１を特定の時間的変化として検出する。ここで、設定作業を行う人物Ｈ１は、検知範囲に含めたい小領域の境界部分に沿って移動することにより、検知範囲に含めたい小領域を囲む閉じた移動軌跡Ｒ１が形成される。
【００６８】
その後、設定作業を行う人物Ｈ１が、リモコン端末５を用いて設定作業を終了させる操作を行うと、設定終了の指示がリモコン端末５から動体検知装置１へ送信される。リモコン端末５から送信された設定終了の指示は第２通信回路１５で受信され、第２通信回路１５から画像処理回路１２に送られる。画像処理回路１２は、設定終了の指示を受け取ると、上述の処理で検出された移動軌跡Ｒ１の外側にある小領域ＳＡ１を検知範囲に含めないように検知範囲情報を設定し、メモリ１３に記憶させる。また、画像処理回路１２は、メモリ１３に登録された検知範囲情報によって設定される検知範囲の設定状況を第２通信回路１５からリモコン端末５へ送信する。リモコン端末５は、動体検知装置１から送信された検知範囲の設定状況を受信すると、検知範囲の設定状況を表示部５２に表示させており、検知範囲の設定状況を視覚的に確認することができる。
【００６９】
尚、図９（ａ）は移動軌跡Ｒ１の一例であり、図９（ｂ）（ｃ）に示すように設定作業を行う人物Ｈ１の移動軌跡に応じて所望の検知領域が設定される。
【００７０】
以上のように、イメージセンサ１１によって撮像される画像は格子状の境界線によって複数の小領域ＳＡ１に分割され、検知範囲情報によって、複数の小領域ＳＡ１の各々が検知範囲に含まれるか否かが設定される。そして、設定部たる画像処理回路１２は、特定の時間的変化が検出された位置に中心が最も近い小領域ＳＡ１に対して、小領域ＳＡ１を検知範囲に含めるか否かを示す検知範囲情報を決定し、メモリ１３に記憶させている。
【００７１】
これにより、検知範囲情報を設定する際に、設定作業を行う人物が、設定対象の小領域で特定の時間的変化を起こせば、この小領域を検知範囲に含めるか否かが設定されるから、検知範囲をより細かく設定することができる。
【００７２】
また、設定部たる画像処理回路１２は、小領域を検知範囲に含めるか否かを示す検知範囲情報を変更した場合、検知範囲情報によって設定される検知範囲の設定状況を第２通信回路１５から外部（リモコン端末５）に出力させている。
【００７３】
これにより、検知範囲の設定状況を外部で確認することができる。
【００７４】
また、設定部たる画像処理回路１２は、特定の時間変化として、物体が移動することによって発生する画像の変化を検出している。そして、設定部たる画像処理回路１２は、検知範囲情報を設定する指示が入力されてから設定終了の指示を受けるまでに検出された物体の移動軌跡の内側を検知範囲とするように検知範囲情報を設定する。
【００７５】
これにより、設定作業を行う人物は、検知範囲に設定したい領域の周りを移動するだけで、所望の領域が検知範囲に設定されるから、検知範囲を簡単に設定することができる。
【００７６】
以上は、動体検知装置１を照明制御システムに適用した実施形態であるが、検知エリア（室内）の状況把握という観点から他の用途にも適用が可能である。例えば動体検知装置１の検知結果を、室内の空調制御を行う空調制御システムや、夜間や外出時など警戒モードに設定された場合に侵入者を検知する防犯システムで利用することも考えられる。
【００７７】
図１０（ａ）は、動体検知装置１の検知結果を照明制御システム、空調制御システム、防犯システムで利用する場合のシステム構成図である。動体検知装置１の通信回路１４と、照明制御システムの照明制御装置２と、空調制御システムの空調制御装置６と、防犯システムの警戒装置８とが通信線Ｗ１にそれぞれ接続されている。動体検知装置１の通信回路１４は、動体（人物）の存否を判定した結果を、通信線Ｗ１を介して、照明制御装置２と空調制御装置６と警戒装置８とに送信する。
【００７８】
空調制御装置６は、動体検知装置１から送信された判定結果に基づいて、室内の空調を行う複数台の空調機器７を制御する。動体検知装置１から空調制御装置６に対して検知エリア内にいる人物の数、場所、運動状態などの情報が入力される場合は、空調制御装置６が、各空調機器７の設定温度、風量、風向、換気量などを、人物の数、場所、運動状態などに応じて最適に制御してもよい。尚、動体検知装置１は、人物の存否を判定した結果から空調機器７の制御情報を導出し、この制御情報を通信回路１４から空調制御装置６に送信してもよい。
【００７９】
また警戒装置８は、夜間や外出時などに警戒モードに設定されている状態で、動体検知装置１から検知信号が入力されると、警報を発する。これにより、防犯システムが、動体検知装置１の検知範囲を撮像する専用の監視カメラを備えていなくても、動体検知装置１が検知範囲における人の存否を検知した結果に基づいて、警報を発することができる。
【００８０】
尚、図１０（ａ）のシステム構成図では、動体検知装置１の通信回路１４に、通信線Ｗ１を介して照明制御装置２と空調制御装置６と警戒装置８とが接続されているが、図１０（ｂ）に示すように、通信回路１４と照明制御装置２の間を通信線Ｗ１で接続し、照明制御装置２と空調制御装置６と警戒装置８とを通信線Ｗ２にそれぞれ接続してもよい。この場合、物体検知装置１の検知結果は、照明制御装置２を経由して空調制御装置６と警戒装置８とにそれぞれ送られ、空調制御装置６及び警戒装置８は物体検知装置１の検知結果に応じた動作を行う。
【符号の説明】
【００８１】
１  動体検知装置
２  照明制御装置
３  照明器具
１１  イメージセンサ（カメラ）
１２  画像処理回路（判定部、設定部、出力部）
１３  メモリ
１４  通信回路（出力部）
【図１】
2014154068.tif 000003
【図２】
2014154068.tif 000004
【図３】
2014154068.tif 000005
【図４】
2014154068.tif 000006
【図５】
2014154068.tif 000007
【図６】
2014154068.tif 000008
【図７】
2014154068.tif 000009
【図８】
2014154068.tif 000010
【図９】
2014154068.tif 000011
【図１０】
2014154068.tif 000012